(57)【要約】      （修正有）【課題】眼鏡レンズ用基材が変形することがなくかつ基材を簡単に着脱でき、しかも、基材の高さ調整を簡単に行うことが可能な眼鏡レンズ用基材の保持方法を提供する。【解決手段】眼鏡レンズ用基材３を立てた状態であってかつレンズ面に接触することがないように支持体２に支持させる基材支持ステップを有する。支持体２を搬送用ラック４に永久磁石１６の磁力によって着脱自在かつ上下方向に移動可能に支持させる支持体支持ステップを有する。【選択図】図２
2013205455.tif 000002
【特許請求の範囲】
【請求項１】
眼鏡レンズ用基材を立てた状態であってかつレンズ面に接触することがないように支持体に支持させる基材支持ステップと、
前記支持体を搬送用フレームに永久磁石の磁力によって着脱自在かつ上下方向に移動可能に支持させる支持体支持ステップとを有することを特徴とする眼鏡レンズ用基材の保持方法。
【請求項２】
請求項１記載の眼鏡レンズ用基材の保持方法において、
前記支持体支持ステップの後に、前記支持体に支持された前記基材の上部をレンズ面に接触することがないように保持する保持体を前記搬送用フレームに永久磁石の磁力によって着脱自在かつ上下方向に移動可能に支持させる保持体支持ステップを有することを特徴とする眼鏡レンズ用基材の保持方法。
【請求項３】
眼鏡レンズ用基材を立てた状態であってかつレンズ面に接触することがないように支持する支持体と
前記支持体を永久磁石の磁力によって着脱自在かつ上下方向に移動可能に支持する搬送用フレームとを備え、
前記永久磁石は、前記支持体と前記搬送用フレームとのうちいずれか一方に設けられ、
前記支持体と前記搬送用フレームとのうち永久磁石が設けられていない部材は、前記永久磁石が磁気吸着可能に形成されていることを特徴とする眼鏡レンズ用保持具。
【請求項４】
請求項３記載の眼鏡レンズ用保持具において、前記支持体に支持された前記基材の上部をレンズ面に接触することがないように保持する保持体を備え、
前記保持体は、永久磁石の磁力によって前記搬送用フレームに着脱自在かつ上下方向に移動可能に支持されるものであり、
前記永久磁石は、前記保持体と前記搬送用フレームとのうちいずれか一方に設けられ、
前記保持体と前記搬送用フレームとのうち永久磁石が設けられていない部材は、前記永久磁石が磁気吸着可能に形成されていることを特徴とする眼鏡レンズ用保持具。
【請求項５】
請求項３または請求項４記載の眼鏡レンズ用保持具において、前記基材が前記支持体によって支持されてなる基材支持部が前記搬送用フレームを挟むように前記搬送用フレームの両側にそれぞれ設けられていることを特徴とする眼鏡レンズ用保持具。
【発明の詳細な説明】
【技術分野】
【０００１】
本発明は、眼鏡レンズ用基材を染色液やハードコート用塗布液などの処理液中に浸漬する際に保持する眼鏡レンズ用基材の保持方法および眼鏡レンズ用保持具に関するものである。
【背景技術】
【０００２】
従来、眼鏡レンズ用基材に施す処理の一つとして浸漬処理がある。この種の浸漬処理は、例えば眼鏡レンズ用基材に染色を施す場合や、前記基材にハードコート膜形成用の塗布液を塗布する場合などで行われている。浸漬処理は、前記基材を保持具に装着し、この保持具とともに処理槽内に浸けることによって行われている。処理槽内には、前記染色を行うための染色液や、ハードコート膜形成用の塗布液が溜められている。
【０００３】
従来の眼鏡レンズ用保持具は、例えば特許文献１〜３に記載されているように、前記基材の外周部を複数の爪片で挟んで保持するものが多い。複数の爪片で挟まれた基材の外周部には、爪片自体のばね力や、爪片を付勢するばね部材のばね力などからなる押圧力が爪片から径方向の内側に向けて加えられる。
ところで、眼鏡レンズの基材に施す染色処理の一つとしていわゆるグラジ染色（ハーフ染色ともいう）がある。このグラジ染色は、前記基材の所定範囲のみを染色液に浸漬させて実施される。
【先行技術文献】
【特許文献】
【０００４】
【特許文献１】実開平３−１６１２６号公報
【特許文献２】特開２００１−３１１９１４号公報
【特許文献３】特開２００４−２６８０１３号公報
【発明の概要】
【発明が解決しようとする課題】
【０００５】
浸漬方式の染色方法に用いる染色液は、約７０℃〜９８℃に加熱されている。レンズ外周（コバ面）の厚みが薄い基材（例えば度数がプラスレンズ）が前記染色液に浸漬されると、前記保持具の保持力が加えられている基材の外周部の温度が上昇し、この外周部に亀裂（クラック）が発生したり、基材の全体または外周部が変形してしまうおそれがある。
【０００６】
また、従来の保持具は、基材の外径や外周部の厚みが変わると基材の中心位置が変わるものである。このため、この保持具を用いて前記グラジ染色を行う場合は、グラジラインが基材の所定の位置に位置付けられるように、レンズ径や厚みに対応させて複数種類の保持具を用意したり、保持具を支持する高さを調整する必要があった。
さらに、従来の保持具は、基材を着脱するときにばね力に抗して爪片間の間隔を拡げる必要があるから、基材の着脱作業が煩わしいものであった。しかも、この保持具を使用すると、爪片が基材のレンズ面に接触し、レンズ面が傷付けられるおそれもあった。
【０００７】
本発明はこのような問題を解消するためになされたもので、基材が変形することがなくかつ基材を簡単に着脱でき、しかも、基材の高さ調整を簡単に行うことが可能な眼鏡レンズ用基材の保持方法および眼鏡レンズ用保持具を提供することを目的とする。
【課題を解決するための手段】
【０００８】
この目的を達成するために、本発明に係る眼鏡レンズ用基材の保持方法は、眼鏡レンズ用基材を立てた状態であってかつレンズ面に接触することがないように支持体に支持させる基材支持ステップと、前記支持体を搬送用フレームに永久磁石の磁力によって着脱自在かつ上下方向に移動可能に支持させる支持体支持ステップとによって実施する。
本発明は、前記発明において、前記支持体支持ステップの後に、前記支持体に支持された前記基材の上部をレンズ面に接触することがないように保持する保持体を前記搬送用フレームに永久磁石の磁力によって着脱自在かつ上下方向に移動可能に支持させる保持体支持ステップを有することを特徴とする。
【０００９】
本発明に係る眼鏡レンズ用保持具は、眼鏡レンズ用基材を立てた状態であってかつレンズ面に接触することがないように支持する支持体と、前記支持体を永久磁石の磁力によって着脱自在かつ上下方向に移動可能に支持する搬送用フレームとを備え、前記永久磁石は、前記支持体と前記搬送用フレームとのうちいずれか一方に設けられ、前記支持体と前記搬送用フレームとのうち永久磁石が設けられていない部材は、前記永久磁石が磁気吸着可能に形成されているものである。
【００１０】
本発明は、前記発明において、前記支持体に支持された前記基材の上部をレンズ面に接触することがないように保持する保持体を備え、前記保持体は、永久磁石の磁力によって前記搬送用フレームに着脱自在かつ上下方向に移動可能に支持されるものであり、前記永久磁石は、前記保持体と前記搬送用フレームとのうちいずれか一方に設けられ、前記保持体と前記搬送用フレームとのうち永久磁石が設けられていない部材は、前記永久磁石が磁気吸着可能に形成されていることを特徴とする。
【００１１】
本発明は、前記発明において、前記基材が前記支持体によって支持されてなる基材支持部が前記搬送用フレームを挟むように前記搬送用フレームの両側にそれぞれ設けられていることを特徴とする。
【発明の効果】
【００１２】
本発明によれば、眼鏡レンズ用基材を支持体に載せるだけで基材が支持体に支持され、基材に外力を加えることなく基材を支持することができる。また、基材の高さは、支持体を搬送用フレームに対して上下方向に移動させることによって簡単に変えることができる。
したがって、本発明によれば、基材が変形することがなくかつ基材を簡単に着脱でき、しかも、基材の高さ調整を簡単に行うことが可能な眼鏡レンズ用基材の保持方法を提供することができる。
【００１３】
この結果、この発明によれば、眼鏡レンズ用基材に浸漬処理を施すにあたって作業性を向上させることができるとともに、眼鏡レンズの品質の向上を図ることが可能になる。
また、本発明に係る眼鏡レンズ用保持具を使用することによって、上述した眼鏡レンズ用基材の保持方法を正しく実施することができる。
【図面の簡単な説明】
【００１４】
【図１】本発明の第１の実施の形態による眼鏡レンズ用基材の保持方法を説明するためのフローチャートである。
【図２】本発明の第１の実施の形態による眼鏡レンズ用保持具を示す図で、同図（Ａ）は側面図、同図（Ｂ）はマイナスレンズからなる基材を支持した状態の正面図、同図（Ｃ）はプラスレンズからなる基材を支持した状態の正面図である。
【図３】本発明の第１の実施の形態による支持体を示す図で、同図（Ａ）は平面図、同図（Ｂ）は側面図である。
【図４】本発明の第１の実施の形態による支持体の背面図である。同図は、眼鏡レンズ用基材を支持体に載せた状態で描いてある。
【図５】図３（Ｂ）におけるV−V線断面図である。
【図６】支持体に基材を載せた状態を示す斜視図である。同時においては、支持体の一部のみを描いてある。
【図７】本発明の第１の実施の形態による搬送用ラックを示す図で、同図（Ａ）は平面図、同図（Ｂ）は側面図、同図（Ｃ）は背面図、同図（Ｄ）は（Ｃ）図におけるＤ−Ｄ線断面図である。
【図８】本発明の第２の実施の形態による眼鏡レンズ用基材の保持方法を説明するためのフローチャートである。
【図９】本発明の第２の実施の形態による眼鏡レンズ用保持具を示す図で、同図（Ａ）は側面図、同図（Ｂ）はマイナスレンズからなる基材を支持した状態の正面図、同図（Ｃ）はプラスレンズからなる基材を支持した状態の正面図である。
【図１０】本発明の第３の実施の形態による眼鏡レンズ用保持具の正面図で、同図（Ａ）は平面図、同図（Ｂ）は背面図である。
【図１１】本発明の第４の実施の形態による眼鏡レンズ用保持具を示す図で、同図（Ａ）は平面図、同図（Ｂ）は側面図である。
【図１２】支持体の他の実施の形態を示す図で、同図（Ａ）は平面図、同図（Ｂ）は側面図、同図（Ｃ）は背面図である。
【図１３】支持体の他の実施の形態を示す図で、同図（Ａ）は平面図、同図（Ｂ）は側面図、同図（Ｃ）は背面図である。
【図１４】支持体の他の実施の形態を示す図で、同図（Ａ）は平面図、同図（Ｂ）は側面図、同図（Ｃ）は背面図、同図（Ｄ）は（Ｂ）図におけるＤ−Ｄ線断面図である。
【図１５】支持体の他の実施の形態を示す図で、同図（Ａ）は平面図、同図（Ｂ）は側面図、同図（Ｃ）は背面図である。
【発明を実施するための形態】
【００１５】
（第１の実施の形態）
以下、本発明に係る眼鏡レンズ用基材の保持方法および眼鏡レンズ用保持具の一実施の形態を図１〜図７によって詳細に説明する。
本発明に係る眼鏡レンズ用基材の保持方法は、図１のフローチャートに示すように、基材支持ステップＳ１と支持体支持ステップＳ２とによって実施される。基材支持ステップＳ１は、詳細は後述するが、図２に示す眼鏡レンズ用保持具１の支持体２に上方から眼鏡レンズ用基材３を支持させるステップである。前記基材３としては、マイナスレンズ｛図２（Ｂ）参照｝と、プラスレンズ｛図２（Ｃ）参照｝との何れであっても使用可能である。
【００１６】
前記支持体支持ステップＳ２は、前記支持体２を前記保持具１の搬送用ラック４に支持させるステップである。なお、これらの基材支持ステップＳ１と支持体支持ステップＳ２とは、この順序で実施する必要はなく、順序を逆転させることができる。すなわち、本発明は、支持体２を搬送用ラック４に取り付けた後に支持体２に基材３を支持させても実施可能である。
【００１７】
前記支持体２は、前記基材３を立てた状態であってかつレンズ面（凸面３ａと凹面３ｂ）に接触することがないように支持するものである。この実施の形態による支持体２は、図３〜図５に示すように、金属製の板材によって形成された支持板１１に後述する複数の部材を取付けることによって形成されている。この明細書においては、支持板１１における基材３と隣接する主面が指向する方向｛図３（Ａ）においては下方｝を前方として説明し、これとは反対方向を後方として説明する。
【００１８】
支持板１１は、帯板状に形成されて上下方向と水平方向（図３においては左右方向）とに延びる板状部１２と、この板状部１２の下端から板状部１２の前方へ突出する一対の摘み部１３と、前記板状部１２の両端部に形成されたガイド部１４とによって形成されている。前記摘み部１３は、板状部１２の下端の一部を前方に向けて折り曲げることによって形成されている。摘み部１３は、板状部１２の両端側の２箇所に設けられている。
【００１９】
前記ガイド部１４は、板状部１２の両端部分を板状部１２の後方｛図３（Ａ）においては上方｝へ折り曲げることによって形成されている。また、このガイド部１４は、図２に示すように、後述する搬送用ラック４の枠体１５が水平方向の両側から挟まれるように形成されている。
板状部１２の長手方向の中央部の高さは、基材３との干渉を避けるために、両端部に較べて低くなるように形成されている。
【００２０】
板状部１２の長手方向の両端部であって、前記ガイド部１４の内側には、永久磁石１６が取付けられている。この永久磁石１６は、円環状に形成されており、この永久磁石１６の中央部を貫通する取付用ボルト１７と、支持板１１の前面に溶接されたナット１７ａとによって板状部１２の後面１２ａに固定されている。この実施の形態による永久磁石１６は、板状部１２の両端部の上部と下部とに設けられている。
永久磁石１６は、加熱された染色液温度（７０℃〜９８℃）内で使用することが可能な特性のものが選定されている。この永久磁石１６としては、例えば耐熱ネオジム磁石を使用することができる。この実施の形態を採るにあたって選定した耐熱ネオジム磁石は、１５０℃で使用できるものである。
【００２１】
前記支持板１１の下端部であって支持板１１の長手方向の中央部には、前記基材３を支持するための外側支持片１８と内側支持片１９とが設けられている。外側支持片１８は、主に基材３の重量を支える機能を有するものである。基材３は、図２（Ｂ），（Ｃ）および図４に示すように、凹面３ｂが支持板１１と対向する状態で外側支持片１８の上に載せられる。内側支持片１９は、主に基材３が倒れることを防ぐ機能を有するものである。
【００２２】
この実施の形態による外側支持片１８と内側支持片１９とは、それぞれ金属製の丸棒を所定の形状に折り曲げることによって形成され、支持板１１に溶接されている。これらの外側支持片１８および内側支持片１９と、前記支持板１１とは、この実施の形態においては非磁性のステンレス鋼によって形成されている。
【００２３】
前記外側支持片１８は、支持板１１から前方へ突出する一対の外側支持部１８ａ，１８ａと、これらの外側支持部１８ａの先端どうしを互いに連結する連結部１８ｂとによって構成されている。前記外側支持部１８ａは、図４に示すように、支持板１１から離間するにしたがって次第に上に位置するように傾斜している。一対の外側支持部１８ａ，１８ａどうしの間隔は、前記基材３の外径より狭くなるように形成されている。外側支持部１８ａの長さ（支持板１１から前方へ突出する寸法）は、図３（Ａ）および図４に示すように、基材３の厚みより充分長くなるように形成されている。また、この外側支持片１８は、支持板１１の長手方向の中央部に設けられている。
【００２４】
前記外側支持部１８ａの傾斜角度は、基材３の下端部が後述する内側支持片１９に前方から接触している状態において、外側支持部１８ａが基材３の凸面３ａと接触することがない角度に設定されている。すなわち、基材３が外側支持片１８の上に載せられたときに外側支持片１８と接触する部分は、基材３の凸面３ａと外周面３ｃ（図４参照）とに挟まれた角部３ｄである。言い換えれば、前記外側支持部１８ａは、前記角部３ｄのみが載せられるように前上がりに傾斜している。
【００２５】
前記内側支持片１９は、支持板１１の前面１１ａ（図４参照）の近傍で後斜め上方に延びる一対の内側支持部１９ａと、これらの内側支持部１９ａの先端どうしを互いに連結する連結部１９ｂとによって構成されている。この内側支持片１９は、図３（Ａ）に示すように、上方から見て前記外側支持片１８の内側であって、支持板１１の長手方向の中央部に設けられている。内側支持片１９の上端は、図３（Ｂ）に示すように、前記外側支持片１８の上端より高く位置するように形成されている。
【００２６】
この実施の形態による前記基材支持ステップＳ１は、図４に示すように、前記外側支持片１８と内側支持片１９との間に基材３を上方から挿入して行う。このように両支持片１８，１９どうしの間に基材３を挿入すると、基材３の下端部に位置する前記角部３ｄが外側支持部１８ａに接触する。基材３が外側支持部１８ａの上部に接触した場合は、基材３を外側支持部１８ａに沿って後斜め下に向けて滑らせ、基材３の２箇所の後縁３ｅを前方から内側支持片１９の一対の内側支持部１９ａに接触させる。基材３は、このように前記角部３ｄが外側支持片１８に載せられている状態で凹面３ｂ側の後縁３ｅが内側支持片１９に接触することによって、立てた状態であってかつレンズ面に接触することがないように支持体２に支持される。
基材３が支持体２に支持されることによって、前記基材支持ステップＳ１が終了する。
【００２７】
前記搬送用ラック４は、図７に示すように、前記支持体２が取付けられる枠体１５と、この枠体１５から上方に延びる連結部材２１とによって構成されている。前記枠体１５は、磁性材からなる断面矩形の金属棒を上下方向に長い長方形状に成形することによって形成されている。金属棒を形成する材料としては、例えばＳＵＳ４３０を使用することができる。すなわち、枠体１５は、前記永久磁石１６が磁気吸着可能に形成されている。
この実施の形態による枠体１５は、図７（Ｂ）に示すように、上下方向に延びる一対の縦部１５ａ，１５ａと、これらの縦部１５ａの下端部どうしを接続する下側横部１５ｂと、前記縦部１５ａの上端部どうしを接続する上側横部１５ｃとによって構成されている。
【００２８】
前記両縦部１５ａ，１５ａの上下方向の中央部には、１本の棒部材２２が水平方向に延びる状態で溶接されている。この棒部材２２は、グラジ染色を行うときに目安となるものである。すなわち、この搬送用ラック４を使用して前記基材３にグラジ染色を行う場合は、前記棒部材２２が染色液の液面と一致するように搬送用ラック４の下部が染色液（図示せず）中に浸漬される。
前記下側横部１５ｂの両端部には、搬送用ラック４を例えば作業台（図示せず）の上で起立させることができるように、丸棒からなるスタンド２３がそれぞれ溶接されている。
【００２９】
前記連結部材２１は、図示してない搬送装置に連結できるものである。この実施の形態による連結部材２１は、前記上側横部１５ｃの長手方向の中央部に溶接された支持棒２１ａと、この支持棒２１ａの上端に溶接された連結棒２１ｂとを備えている。この連結棒２１ｂの上面には、作業者（図示せず）が手で持つことができるように取っ手２１ｃが設けられている。また、前記連結棒２１ｂは、図７（Ａ）に示すように、上方から見て前記枠体１５の上側横部１５ｃと直交する方向に延びている。
【００３０】
前記支持体支持ステップＳ２は、上述した支持体２の永久磁石１６を前記枠体１５の一対の縦部１５ａ，１５ａにそれぞれ接触させて行われる。支持体２の両端部に位置する永久磁石１６をそれぞれ前記縦部１５ａに接触させる作業は、支持体２の両端部のガイド部１４が前記縦部１５ａの外側に位置するように支持体２を枠体１５に接近させることによって、簡単に行うことができる。
前記永久磁石１６は、前記縦部１５ａに接触することにより磁気によって吸着される。このように永久磁石１６が前記縦部１５ａに磁気吸着されることによって、前記支持体２が枠体１５に永久磁石１６の磁力により着脱自在かつ上下方向に移動可能に支持されることになる。支持体２を枠体１５に取付けるにあたっては、上述したように基材３を予め支持体２に支持させた状態で行うことができる。なお、基材３は、支持体２が枠体１５に取付けられた後に支持体２に載せて支持させることもできる。
【００３１】
永久磁石１６は、作業者が支持体２の摘み部１３を把持して上方に持ち上げるか、または下方に押し下げることによって、縦部１５ａに磁気吸着された状態を保ちながら縦部１５ａに対して上方または下方に滑る。このため、支持体２は、枠体１５に支持されている状態で上方または下方に移動させることができるものである。
グラジ染色などを行う場合の基材３の高さ調整は、基材３の例えば中央部が前記棒部材２２と同じ高さに位置するように、支持体２を枠体１５に対して上方または下方に移動させることによって簡単に行うことができる。
前記支持体２が前記枠体１５に永久磁石１６の磁力で支持されることによって、支持体支持ステップＳ２が終了する。
【００３２】
このように基材３が装着された眼鏡レンズ用保持具１は、たとえば染色液やハードコート液などの処理液が溜められた槽（図示せず）の上に搬送され、その後、槽内に下ろされる。この保持具１が前記槽内で下降することによって、基材３が前記処理液中に浸漬させられる。この保持具１は、浸漬処理が終了した後に前記槽から上方に出され、基材３から余剰の処理液が滴下し終わるまで待機した後に次の工程に送られる。
【００３３】
このように基材支持ステップＳ１と支持体支持ステップＳ２とを有する眼鏡レンズの製造方法においては、基材３を支持体２に載せるだけで基材３が支持体２に支持されるから、基材３に外力を加えることなく基材３を支持することができる。また、基材３の高さは、支持体２を搬送用ラック４に対して上下方向に移動させることによって簡単に変えることができる。
したがって、この実施の形態によれば、基材３が変形することがなくかつ基材３を簡単に着脱でき、しかも、基材３の高さ調整を簡単に行うことが可能な眼鏡レンズ用基材３の保持方法を提供することができる。この結果、この実施の形態によれば、前記基材３に浸漬処理を施すにあたって作業性を向上させることができるとともに、眼鏡レンズの品質の向上を図ることが可能になる。
【００３４】
この実施の形態による支持体２は、一対の外側支持片１８で基材３の重量を支え、内側支持片１９で基材３の傾斜を規制する構成が採られている。このため、この支持体２によれば、基材３の外径や厚みに制約を受けることなく基材３を起立した状態で支持することができる。
このため、この実施の形態による支持体２を使用することによって、基材３を立てた状態であってかつレンズ面に接触することがないように支持する前記基材支持ステップＳ１を正しく実施することができる。
【００３５】
この実施の形態による支持体２は、搬送用ラック４の枠体１５に磁気吸着される永久磁石１６を備えている。すなわち、この支持体２は、搬送用ラック４に支持されている状態で搬送用ラック４に対して上下方向に移動させることができるものである。
このため、この実施の形態による支持体２と搬送用ラック４とを使用することによって、前記支持体２を搬送用ラック４に永久磁石１６の磁力によって着脱自在かつ上下方向に移動可能に支持させる前記支持体支持ステップＳ２を正しく実施することができる。
【００３６】
この実施の形態に示したように支持体２の上に基材３を載せて支持する場合は、前記内側支持片１９をより鉛直に近くなるように起立させることができる。このように内側支持片１９を形成することによって、基材３の外周側が内側支持片１９で支えられるようになり、基材３を起立状態に近い姿勢で保持することが可能になる。ここでいう起立状態とは、レンズ面が水平とは垂直な方向に延びる状態をいう。
【００３７】
（第２の実施の形態）
本発明に係る眼鏡レンズ用基材の保持方法および眼鏡レンズ用保持具の第２の実施の形態を図８および図９によって詳細に説明する。これらの図において、前記図１〜図７によって説明したものと同一もしくは同等の部材については、同一符号を付し詳細な説明を適宜省略する。
【００３８】
この実施の形態による眼鏡レンズ用基材３の保持方法は、図８のフローチャートに示すように、上述した支持体支持ステップＳ２の後に保持体支持ステップＳ３を実施する方法である。保持体支持ステップＳ３は、図９に示す眼鏡レンズ用保持具３１を使用して実施することができる。
図９に示す眼鏡レンズ用保持具３１は、図１〜図７に示した保持具１とは、後述する保持体３２を備えている点でのみ異なるものである。
保持体３２は、前記支持体２に支持された前記基材３の上部をレンズ面に接触することがないように保持し、かつ永久磁石１６の磁力によって前記搬送用ラック４に着脱自在かつ上下方向に移動可能に支持されるものである。この実施の形態による保持体３２は、基材３を支持する支持体２と同一のものを上下方向に反転させたものである。
【００３９】
このため、この実施の形態による保持体３２は、支持板１１と、外側支持片１８と、内側支持片１９と、永久磁石１６とによって構成されている。支持板１１には、摘み部１３と、ガイド部１４とが設けられている。
この保持体３２は、外側支持片１８と内側支持片１９との間に基材３の上部が挿入される状態で基材３の上部に載せられ、基材３が前記両支持片１８，１９に接触する状態で搬送用ラック４の枠体１５に取付けられる。
【００４０】
保持体３２を枠体１５に取付けるにあたっては、永久磁石１６を枠体１５の縦部１５ａに接触させて行う。永久磁石１６が前記縦部１５ａに接触することによって、保持体３２が永久磁石１６の磁力で枠体１５に着脱可能かつ上下方向に移動自在に支持される。この保持体３２は、基材３を下方に押すことがない状態で枠体１５に支持させることができる。すなわち、基材３は、外力が加えられることなく、支持体２および保持体３２に対して移動することができないように保持される。また、基材３は、外径や厚みに制約を受けることなく支持体２と保持体３２とによって保持される。
【００４１】
このように基材３が支持体２と保持体３２とにより移動できないように保持されることによって、保持体支持ステップＳ３が終了する。保持体支持ステップＳ３の後には、たとえば基材洗浄ステップ（図示せず）を実施することができる。
基材洗浄ステップは、保持具１を基材３とともに洗浄液槽（図示せず）内に挿入し、基材３が洗浄液中に浸漬されている状態で保持具１を例えば揺動させることによって実施される。基材３は、支持体２と保持体３２とに保持されているために、洗浄液中で揺すられたとしても保持体３２から脱落することはない。
【００４２】
この実施の形態に示すように前記支持体支持ステップＳ２の後に保持体支持ステップＳ３を実施することにより、保持体３２によって基材３の上部が保持され、基材３に外力を加えることなく基材３を保持具１に対して移動することができないように保持することができる。
したがって、この実施の形態によれば、基材３を洗浄槽内に浸漬させた状態で搬送用ラック４を揺動させて基材３を洗浄できるようになる。保持体３２で基材３の上部を保持して行う保持方法は、基材洗浄ステップとは異なる他の処理ステップにも適用可能である。すなわち、この保持方法は、基材３を搬送する搬送ステップや、基材３が保持されていることが必要な他の処理ステップに適用できる。この保持方法を搬送ステップに適用することにより、搬送速度を高くして生産性向上を図ることができる。
【００４３】
この実施の形態による眼鏡レンズ用保持具３１は、上述したように、前記支持体２に支持された前記基材３の上部をレンズ面に接触することがないように保持する保持体３２を備えている。この保持体３２は、搬送用ラック４の枠体１５に吸着される永久磁石１６を有し、この永久磁石１６の磁力によって前記搬送用ラック４に着脱自在かつ上下方向に移動可能に支持されるものである。
このため、この実施の形態によれば、基材３に外力を加えることなく保持体３２で基材３の上部を保持する保持方法を正しく実施可能な眼鏡レンズ用保持具を提供することができる。
この実施の形態による保持体３２は、支持体２と同一のものが用いられている。このため、本発明に係る眼鏡レンズ用保持具を簡単に実現することができる。
【００４４】
この実施の形態で示した眼鏡レンズ用保持具３１は、内側支持片１９の内側支持部１９ａが後上がりに延びる支持体２と、これと同じ形状の保持体３２とによって基材３を上下方向から挟んで保持するものである。基材３が保持された状態において、内側支持片１９の先端部は、基部に較べると基材３の凹面３ｂから大きく離間するようになる。このため、この実施の形態によれば、前記凹面３ｂに及ぼす影響が少なくなる眼鏡レンズ用保持体３１を提供することができる。
【００４５】
（第３の実施の形態）
本発明に係る眼鏡レンズ用保持具は、図１０に示すように構成することができる。図１０において、前記図１〜図９によって説明したものと同一もしくは同等の部材については、同一符号を付し詳細な説明を適宜省略する。
図１０に示す眼鏡レンズ用保持具４１の搬送用ラック４は、前面側と後面側とにそれぞれ基材支持部４２，４３が設けられている。この実施の形態による各基材支持部４２，４３は、それぞれ支持体２と保持体３２とによって構成されている。一方の基材支持部４２の支持体２と保持体３２は、枠体１５の前面に磁気吸着されている。他方の基材支持部４３の支持体２と保持体３２は、枠体１５の後面に磁気吸着されている。なお、本発明は、このような限定にとらわれることはなく、二つの基材支持部４２，４３をそれぞれ支持体２のみによって構成することができるし、一方の基材支持部４２（４３）を支持体２と保持体３２とによって構成し、他方の基材支持部４３（４２）を支持体２のみによって構成することもできる。
【００４６】
この実施の形態による支持体２のガイド部１４と、保持体３２のガイド部１４は、枠体１５の中心を越えて反対側に突出することがないように形成されている。すなわち、一方の基材支持部４２のガイド部１４と、他方の基材支持部４３のガイド部１４とが互いに干渉し合うようなことはない。このため、一方の基材支持部４２の支持体２（保持体３２）と、他方の基材支持部４３の支持体２（保持体３２）とを同じ高さに位置付けることができる。
【００４７】
図１０に示す保持具１は、一方の基材支持部４２でマイナスレンズからなる基材３を支持し、他方の基材支持部４３でプラスレンズからなる基材３を支持している。しかし、本発明は、このような限定にとらわれることはなく、両方の基材支持部４２，４３にマイナスレンズからなる基材３を支持させることができるし、両方の基材支持部４２，４３にプラスレンズからなる基材３を支持させることができる。また、一方の基材支持部４２（４３）に左眼用基材３を支持させ、他方の基材支持部４３（４２）に右眼用基材３を支持させることもできる。
【００４８】
この実施の形態による眼鏡レンズ用保持具４１は、基材３が支持体２によって支持される基材支持部４２，４３が前記搬送用ラック４を挟むように前記搬送用ラック４の両側にそれぞれ設けられている。このため、この実施の形態によれば、一つの保持具４１に複数の基材３を支持できるから、眼鏡レンズを生産するうえで生産性が向上する。また、この実施の形態によれば、左眼用基材３と右眼用基材３とを一つの搬送用ラック４に支持させてこれらの基材３に浸漬処理を施すことができる。この構成を採ることにより、より一層品質が高い眼鏡レンズを製造可能になる。
【００４９】
（第４の実施の形態）
本発明に係る眼鏡レンズ用保持具は、図１１に示すように構成することができる。図１１において、前記図１〜図１０によって説明したものと同一もしくは同等の部材については、同一符号を付し詳細な説明を適宜省略する。
【００５０】
図１１に示す眼鏡レンズ用保持具５１の搬送用ラック４は、二つの枠体１５，１５を備えている。これら二つの枠体１５，１５は、同じ高さで列をなして並ぶ状態で互いに接続されている。各枠体１５の前面と後面とには、支持体２と保持体３２とからなる基材支持部５２がそれぞれ設けられている。なお、基材支持部５２は、支持体２のみによって構成することができる。
【００５１】
この実施の形態による眼鏡レンズ用保持具１は、４箇所に基材支持部５２が設けられているから、４枚の基材３を支持できる。このため、この実施の形態によれば、左右１組の基材３を２組装着し、ロットとしてまとめて処理する処理方法を採ることが可能になる。
【００５２】
（第５の実施の形態）
本発明に係る眼鏡レンズ用保持具の支持体や保持体は、図１２〜図１５に示すように構成することができる。これらの図において、前記図１〜図９によって説明したものと同一もしくは同等の部材については、同一符号を付し詳細な説明を適宜省略する。
【００５３】
図１２に示す支持体２の外側支持片１８は、支持板１１の後面側で上下方向に延びる一対の取付部６１，６１と、これらの取付部６１の下端から前方へ前上がりに延びる一対の外側支持部１８ａ，１８ａと、これらの外側支持部１８ａの先端どうしを互いに接続する連結部１８ｂとによって形成されている。前記取付部６１は、支持板１１の後面に溶接されている。
【００５４】
図１２に示す支持体２の内側支持片１９は、支持板１１の後面側で上下方向に延びる一対の取付部６２，６２と、これらの取付部６２の上端から支持板１１の前側近傍で前下がりに延びる一対の内側支持部１９ａ，１９ａと、これらの内側支持部１９ａの下端どうしを互いに接続する連結部１９ｂとによって形成されている。前記取付部６２は、支持板１１に溶接されている。
このため、図１２に示す支持体２は、外側支持片１８および内側支持片１９がそれぞれ取付部６１，６２を介して支持板１１に取付けられており、外側支持片１８および内側支持片１９の剛性が向上するから、長期間にわたって初期の性能を維持できるものとなる。
【００５５】
図１３に示す支持体２は、図１２に示した支持体２の内側支持片１９を変更したものである。このため、図１３において、前記図１２によって説明したものと同一もしくは同等の部材については、同一符号を付し詳細な説明を適宜省略する。
図１３に示す支持体２の内側支持片１９は、一対の内側支持部１９ａどうしを互いに接触させて形成されている。図１３に示す支持体２においても、図１２に示した支持体２と同等の効果を得ることができる。
【００５６】
図１４に示す支持体２は、上述した外側支持片１８と内側支持片１９の代わりに一つの支持部材７１を備えている。この支持部材７１は、金属製の板をその主面（表面と裏面）が上下方向に延びる状態で所定の形状に折り曲げて形成されている。支持部材７１の上下方向の幅は、図１4（Ｂ）に示すように、支持板１１の長手方向の中央部の上下方向の幅と略等しくなるように形成されている。
【００５７】
この支持部材７１は、支持板１１から前方に延びる一対の支持部７１ａ，７１ａと、これらの支持部７１ａの先端どうしを互いに接続する連結部７１ｂとを備えている。前記支持部７１ａの基端部７１ｃは、支持板１１の前面に沿うように折り曲げられており、支持板１１に溶接されている。一対の支持部７１ａ，７１ａどうしの間隔は、図３に示した一対の外側支持部１８ａの間隔と略等しくなるように形成されている。
【００５８】
支持部７１ａの上部には、図１4（Ｃ）に示すように、基材３を載せるための前側傾斜面７２と後側傾斜面７３とが形成されている。前記前側傾斜面７２は、主に基材３の重量を支える機能を有し、前記後側傾斜面７３は、主に基材３の傾斜を規制する機能を有している。前側傾斜面７２は、支持部７１ａの前端部（連結部７１ｂに接続される端部）から支持板１１に向けて後下がりに傾斜して延びている。後側傾斜面７３は、前記前側傾斜面７２の後端から後上がりに傾斜して延びている。
【００５９】
前記前側傾斜面７２は、後側傾斜面７３と較べて水平に対する傾斜角度が小さくなるように形成されている。この前側傾斜面７２の傾斜角度は、基材３の下端部が後側傾斜面７３に前方から接触している状態において、支持部７１ａの上縁が基材３の凸面３ａと接触することがない角度に設定されている。なお、この支持体２にプラスレンズからなる基材３を支持させる場合は、基材３の上部を保持する保持体３２を使用することが望ましい。
【００６０】
この支持体２の支持板１１における長手方向の両端部には、ボルト７４がそれぞれねじ込まれている。このボルト７４は、支持体２が永久磁石１６の磁力で搬送用ラック４に磁気吸着されるときの吸着力の大きさを調整するためのものである。このボルト７４は、永久磁石１６の上方と下方であって、搬送用ラック４の枠体１５と対向する位置にそれぞれ設けられている。
【００６１】
永久磁石１６は、前記ボルト７４の頭部７４ａが支持板１１の後面に接触する状態においては、枠体１５に接触して磁気吸着される。しかし、永久磁石１６は、図１4（Ｄ）に示すように、ボルト７４が緩められて前記頭部７４ａが永久磁石１６より後方に突出することによって、前記枠体１５に接触することはなくなる。すなわち、前記吸着力の大きさは、ボルト７４により永久磁石１６と枠体１５との距離を変えることによって調整される。
【００６２】
図１５に示す支持体２は、図１4に示す支持体２とは支持部材７１の一部が異なるだけのものである。このため、図１５において、前記図１4によって説明したものと同一もしくは同等の部材については、同一符号を付し詳細な説明を適宜省略する。図１５に示す支持体２の支持部材７１は、図１4に示す支持部材７１と同様に、一対の支持部７１ａ，７１ａと、これらの支持部７１ａの先端どうしを接続する連結部７１ｂとによって形成されている。図１５に示す一対の支持部７１ａ，７１ａどうしの間隔は、図１4に示す支持部７１ａ，７１ａどうしの間隔より狭くなるように形成されている。図１５に示す支持部材７１を使用する場合は、基材３の上部を保持する保持体３２を使用することが望ましい。
【００６３】
図１２〜図１５に示した支持体２は、それぞれ保持体３２としても使用することができる。また、保持体３２は、基材３が載せられた支持体２とは異なる支持体２を用いることができる。すなわち、支持体２と保持体３２は、図３に示す支持体２と、図１２〜図１５に示す４種類の支持体２とを適宜組み合わせて使用することができる。
【００６４】
上述した各実施の形態においては、永久磁石１６が支持体２と保持体３２とに設けられている保持具１，３１，４１，５１について説明した。しかし、本発明に係る眼鏡レンズ用保持具は、このような限定にとらわれることはない。すなわち、搬送用ラック４の枠体１５に永久磁石１６を設け、支持体２と保持体３２とを前記永久磁石１６が磁気吸着可能に形成することができる。
【００６５】
上述した各実施の形態に示した支持体２や保持体３２には、基材３が接触する部分に滑り止め処理を施すことができる。この滑り止めは、例えばゴムコーティングを施したり、シリコンチューブを被せて実施することができる。
【００６６】
上述した各実施の形態に示した支持体２や保持体３２の外側支持片１８は、一対の外側支持部１８ａと、これらの外側支持片１８の先端どうしを互いに連結する連結部１８ｂとによって形成されている。しかしながら、本発明は、このような限定にとらわれることはない。すなわち、外側支持片１８は、一対の外側支持部１８ａ，１８ａのみによって構成することができる。外側支持片１８がこのように形成されていることによって、眼鏡レンズ用保持具を処理液の槽から上げるときに外側支持片１８と基材３との間に処理液からなる膜が形成されることを確実に防ぐことができる。
【符号の説明】
【００６７】
３…眼鏡レンズ用基材、２…支持体、４…搬送用ラック、１６…永久磁石、３２…保持体、４２，４３…基材支持部、Ｓ１…基材支持ステップ、Ｓ２…支持体支持ステップ、Ｓ３…保持体支持ステップ。
【図１】
2013205455.tif 000003
【図２】
2013205455.tif 000004
【図３】
2013205455.tif 000005
【図４】
2013205455.tif 000006
【図５】
2013205455.tif 000007
【図６】
2013205455.tif 000008
【図７】
2013205455.tif 000009
【図８】
2013205455.tif 000010
【図９】
2013205455.tif 000011
【図１０】
2013205455.tif 000012
【図１１】
2013205455.tif 000013
【図１２】
2013205455.tif 000014
【図１３】
2013205455.tif 000015
【図１４】
2013205455.tif 000016
【図１５】
2013205455.tif 000017